【事件の表示】
　特願２０１２−１６４２２９「コミュニケーション端末、コミュニケーション方法、及び、コミュニケーション端末用プログラム」拒絶査定不服審判事件〔平成２６年　２月　６日出願公開、特開２０１４−　２６３５１〕について、次のとおり審決する。
【結　論】
　本件審判の請求は、成り立たない。
【理　由】
第１．手続の経緯
　本願は、平成２４年７月２４日の出願であって、平成２６年１２月２６日付けで拒絶理由が通知され、平成２７年２月２２日付けで手続補正がなされ、同年８月２４日付けで拒絶査定がなされ、これに対し、同年１１月２５日に拒絶査定不服審判の請求がなされ、同時に手続補正がなされたものである。
　
第２．平成２７年１１月２５日付けの手続補正についての補正却下の決定
［補正却下の決定の結論］
　　平成２７年１１月２５日付けの手続補正（以下、「本件補正」という。）を却下する。
　
［理由］
１．補正後の本願発明
　本件補正は、特許請求の範囲の請求項１を、
〈補正前の請求項１〉
「一以上の他の端末と通信可能に接続され、当該コミュニケーション端末を利用するユーザが、前記他の端末とコミュニケーションを行うためのコミュニケーション端末であって、
　前記他の端末と音声データ又はメッセージデータの送受信によるコミュニケーションを開始するコミュニケーション手段と、
　前記コミュニケーション手段が、前記他の端末とコミュニケーションを開始した後に、前記コミュニケーション端末内に記憶された一以上のコンテンツ及び前記一以上のコンテンツの種別を表示するコンテンツ一覧表示モジュールと、
　前記表示された一以上のコンテンツの選択を受付けるコンテンツ選択受付手段と、
　前記コンテンツ選択受付手段が選択を受付けた一以上のコンテンツを、前記一以上の他の端末に対して送信する操作を受付けなくとも、前記一以上の他の端末と共有する選択コンテンツ共有手段と、
　を備えるコミュニケーション端末。」
から、
〈補正後の請求項１〉
「一以上の他の端末と通信可能に接続され、当該コミュニケーション端末を利用するユーザが、前記他の端末とコミュニケーションを行うためのコミュニケーション端末であって、
　前記他の端末と音声データ又はメッセージデータの送受信によるコミュニケーションを開始するコミュニケーション手段と、
　前記コミュニケーション手段が、前記他の端末とコミュニケーションを開始した後に、前記コミュニケーション端末内に記憶された一以上のコンテンツ及び前記一以上のコンテンツの種別
毎に一の簡易な図
　前記表示された一以上のコンテンツの選択を受付けるコンテンツ選択受付手段と、
　前記コンテンツ選択受付手段が選択を受付けた一以上のコンテンツを、前記一以上の他の端末に対して送信する操作を受付けなくとも、前記一以上の他の端末と共有する選択コンテンツ共有手段と、
　を備えるコミュニケーション端末。」
とする補正事項を含むものである。下線は、補正箇所を示す。
　上記補正事項は、補正前の請求項１に記載した発明を特定するために必要な事項である「コンテンツ一覧表示モジュール」について、「コンテンツの種別を表示する」を「コンテンツの種別毎に一の簡易な図を表示する」と限定するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。 
　また、特許法第１７条の２第３項、第４項に違反するところはない。　
　そこで、本件補正後の前記請求項１に記載された発明（以下、「本願補正発明」という。）が特許法第１７条の２第６項において準用する同法第１２６条第７項の規定に適合するか（特許出願の際独立して特許を受けることができるものであるか）について、以下に検討する。 　
２．引用発明
　原査定の拒絶理由に引用された特開２００３−２２３４０７号公報（以下、「引用例」という。）には図面とともに以下の事項が記載されている。
ア．「【００１０】請求項１に記載の発明は、複数のユーザ間でコンテンツを共有しながらコミュニケーションを行うためのコンテンツ共有支援システムに関する。
【００１１】このシステムは、通信網に接続されたコンテンツ共有支援サーバと、通信網を介してコンテンツ共有支援サーバに接続可能な複数のユーザ端末装置とを有している。
【００１２】それぞれのユーザ端末装置は、コンテンツ共有支援サーバを介して他のユーザ端末装置に会話情報を送信し、コンテンツ共有支援サーバを介して他のユーザ端末装置から会話情報を受信する会話情報処理手段と、共有するコンテンツのデータをコンテンツ共有支援サーバを介して他のユーザのユーザ端末装置に送信し、また他のユーザによって選択されたコンテンツのデータをコンテンツ共有支援サーバを介して受け取る共有コンテンツ処理手段とを有している。これによって、各ユーザ端末装置において共通の会話情報とコンテンツ情報を利用することを可能とする。
【００１３】また、前記コンテンツ共有支援サーバは、あるユーザ端末装置から送信された会話情報を受け取り、これを同一のコミュニケーショングループに属する他のユーザ端末装置に宛てて送信する会話中継手段と、あるユーザ端末装置から送信された共有コンテンツのデータを受け取り、これを同一のコミュニケーショングループに属する他のユーザ端末装置に宛てて送信する共有コンテンツ中継手段とを有する。
【００１４】これによって、各ユーザ端末装置において共通の会話情報とコンテンツ情報をほぼ共時的に再生・表示させるように作用する。」
イ．「【００１８】
【発明の実施の形態】［本実施の形態によって実現されるビジネスモデルの例］本発明の実施の形態について説明するに先立ち、本実施の形態によって実現されるビジネスモデル（以下、「本ビジネスモデル」という）の例について、図１を参照しながら説明する。図１は、本ビジネスモデルを説明するための図である。
【００１９】本ビジネスモデルは、複数のユーザ間でコンテンツを共有しながら会話することを目的とするものである。ここで「コンテンツ」とは、ネットワークを介して取得可能なすべての形式の情報をいい、たとえばＪＰＥＧ形式などによる静止画画像データ、ＭＰＥＧ形式などの動画像データ、ＭＰ３形式などの音声（楽曲）データなどである。
【００２０】図１は、ユーザＡとユーザＢとの間でコンテンツを共有しながら会話する場合を示している。なお、「複数のユーザ」は２名のユーザに限られず、３名以上の複数のユーザについても本ビジネスモデルは利用可能である。
【００２１】ユーザＡとユーザＢはそれぞれユーザ端末装置１０１Ａ、１０１Ｂを有しており、両端末装置はコンテンツ共有支援サーバ装置１０２にネットワーク（図略）を介して接続可能となっている。まず、ユーザＡはサーバ装置１０２にネットワークを介してアクセスしてログオンし、他の参加者を待つために待機している。続いてユーザＢがサーバ装置１０２にネットワークを介してアクセスしログオンすると、サーバ装置１０２はユーザＢにユーザＡがログオン中であることを通知する。通知を受けたユーザＢはユーザＡとのコミュニケーションを希望する旨をサーバ装置１０２に通知すると、サーバ装置１０２はユーザＡ，Ｂ間のコミュニケーションを成立させるように動作する。すなわち、サーバ装置１０２はユーザＡからの情報をユーザＢに転送し、同様にユーザＢからの情報をユーザＡに転送する。
【００２２】まず、ユーザＢがユーザＡに宛てて「何かいいコンテンツを持ってますか？」というメッセージを発すると、サーバ装置１０２はこのメッセージを受け取り、ユーザＡに送る。ユーザＡはこのメッセージを受け取ると、適当なコンテンツをユーザＢに紹介する。コンテンツの紹介は、ユーザＡの端末装置１０１Ａにおいてそのコンテンツを再生することによって行われる。再生された内容はサーバ装置１０２を経由してユーザＢの端末装置１０１Ｂに送られる。ユーザＢの端末装置１０１ＢはユーザＡの端末装置１０１Ｂのコンテンツ再生と同様に、そのコンテンツ再生内容が表示される。
【００２３】本ビジネスモデルによれば、ユーザＡ，Ｂは、たとえ遠隔地にいる場合であっても、あたかも同一の場所、例えば自室や映画館などに互いが顔をあわせて会話しているように、再生されたコンテンツを楽しみながら会話を行うことが可能である。たとえば、ある楽曲ファイルを同時に聞きながら、お互いの感想をやり取りすることが可能である。本明細書では同一のコンテンツを同時に複数のユーザが閲覧若しくは視聴することを「コンテンツを共有する」というものとする。また、共有コンテンツとは同時に複数のユーザが閲覧若しくは視聴すること目的として選択されたコンテンツをいうものとする。」
ウ．「【００２８】［会員側装置の構成例］つぎに、ユーザ端末装置２０１の構成例について図３を参照しながら説明する。
【００２９】ユーザ端末装置２０１は、コンテンツ共有支援サーバ２０２を介して他のユーザ端末装置２０１に会話情報と共にユーザが選択したコンテンツを提供する機能と、他のユーザ端末装置２０１から提供される会話情報と、この他のユーザ端末装置２０１のユーザが選択したコンテンツの提供を受ける機能を有する。
【００３０】ユーザ端末装置２０１は、通信網２００を介してコンテンツ共有支援サーバ２０２にアクセス可能などの情報処理装置であって、たとえばＷｅｂ接続機能を有する携帯電話器、コンピュータ、ワークステーションもしくは移動体通信端末、ＰＤＡ（Personal Digital Assistant）などである。
【００３１】ユーザ端末装置２０２は、通信網２００と接続するためのＯＳインターフェイス３０１と、該ＯＳインターフェイス３０１に接続された会話情報処理手段２０３および共有コンテンツ処理手段２０４と、会話情報処理手段２０３および共有コンテンツ処理手段に接続された表示手段３０７および入力手段３０８と、共有コンテンツ処理手段に接続されたコンテンツ選択手段３０９とを有している。
【００３２】ＯＳインターフェイス３０１は、通信網２００を介してコンテンツ共有支援サーバ２０２との接続の確立、及びデータの送受信を実行する機能を有し、たとえば、ＴＣＰ／ＩＰを含むプロトコル・スタックを含む基本ソフトウエア（ＯＳ）により構成される。
【００３３】会話情報処理手段２０３は、コンテンツ共有支援サーバ２０２を介して他のユーザ端末装置に会話情報を送信し、コンテンツ共有支援サーバ２０２を介して他のユーザ端末装置２０１から会話情報を受信する機能を有する。この会話情報は、文字データと音声データとのいずれか若しくは双方であって良い。
【００３４】会話情報処理手段２０３は、会話情報送信手段３０３と、会話情報受信手段３０４とを有している。会話情報送信手段３０３は入力手段３０８から会話情報データを受け取り、これを通信網２００を介してコンテンツ共有支援サーバ２０２に送信できるデータに変換してＯＳインターフェイス３０１に渡す機能を有する。また、会話情報受信手段３０４は、他のユーザ端末装置２０１が発した会話情報をコンテンツ共有支援サーバ２０２から受け取り、この会話情報を表示手段３０７に渡す機能を有する。
【００３５】共有コンテンツ処理手段２０４は、ユーザが他のユーザと共有するコンテンツのデータをコンテンツ共有支援サーバ２０２を介して他のユーザのユーザ端末装置２０２に送信し、また他のユーザによって選択されたコンテンツのデータをコンテンツ共有支援サーバ２０２を介して受け取る機能を有する。
【００３６】表示手段３０７は、会話情報およびコンテンツをユーザに知覚可能な状態で提供する機能を有し、たとえばスピーカなどの音声再生装置、液晶ディスプレイなどの画像表示装置等で構成される手段である。
【００３７】入力手段３０８は、会話情報を会話情報処理手段２０３に供給するための手段であって、たとえば、文字データを入力するためのキーボード、音声を取り込み音声データを生成するマイクなどである。また、入力手段３０７は、コンテンツの選択や送信の決定などを行うためのポインティングデバイスなどが含まれていて良い。
【００３８】コンテンツ選択手段３０９は、ユーザに共有するコンテンツの選択を促し、選択されたコンテンツを特定する情報（ＵＲＩ（Uniform Resource Identifier）等）を共有コンテンツ送信手段に渡すための手段であって、たとえばユーザにコンテンツのＵＲＩ（Uniform Resource Identifier）等の入力を促すための入力ボックス、コンテンツを示すアイコンを含むユーザインターフェイスによって構成される手段である。
【００３９】図４は、共有コンテンツ送信手段３０５のより詳しい構成例を示すブロック図である。共有コンテンツ送信手段３０５は、コンテンツの選択を行い、その選択されたコンテンツ（共有コンテンツ、という）のデータを取得し、かつその共有コンテンツが再生を必要とするデータ（例えば動画ファイル、音声ファイルなど）であればその再生を実行する共有コンテンツ再生手段４０２と、該共有コンテンツ再生手段４０２から共有コンテンツの再生データを受け取り、これをＯＳインターフェイス３０１を介してコンテンツ共有支援サーバ２０２に送信するための共有コンテンツデータ送信手段４０１とを有している。
【００４０】まず、共有コンテンツ再生手段４０２は、コンテンツ選択手段３０９から共有コンテンツとして選択されたコンテンツを特定する情報を受け取ると、共有コンテンツ再生手段４０２は、その特定する情報に基づいて選択されたコンテンツのデータを取得する。
【００４１】つぎに、入力手段３０８から処理開始の指令を受け付けると、共有コンテンツ再生手段４０２はコンテンツの再生を開始し、この再生処理により生成されたデータを表示手段３０７に供給すると共に、同時にこのデータを共有コンテンツデータ送信手段４０１に供給する。表示手段３０７では、コンテンツの再生された内容がユーザに画像若しくは音として提供される。この表示手段で提供される内容と同一のデータが共有コンテンツデータ送信手段４０１によって、他のユーザ端末装置２０２に供給されることになる。
【００４２】図５は、共有コンテンツ受信手段３０６の構成例を示す図である。共有コンテンツ受信手段３０６は、送信側のユーザ端末装置２０２の共有コンテンツデータ送信手段４０１によって送信された共有コンテンツのデータを受け取り、再生可能な状態で蓄える共有コンテンツデータ受信手段５０１と、共有コンテンツデータ受信手段５０１からデータを受け取り、これを表示手段３０７に表示させるための共有コンテンツ再生手段５０２とを有している。
【００４３】これにより、送信側のユーザ端末装置２０２の表示手段３０７によって示されるコンテンツ内容と同一の内容が、受信側のユーザ端末装置２０２の表示手段３０７によって示される。」
エ．「【００５９】図１０は、会話情報とコンテンツを表示しているユーザ端末装置２０１Ａの画面例を示している。ユーザ端末装置２０１Ａの表示手段３０７の表示領域１００１内には、会話情報を表示する領域１００２と、コンテンツの選択のための領域１００３，コンテンツの内容を表示する領域１００４とを有している。
【００６０】なお、会話情報は、どのようなタイミングでも送信でき、コンテンツの送信開始時に限られるものではなく、コンテンツ再生中のいずれのタイミングでもユーザの好きなときに好きな発言を会話情報として送信することが可能である。ただし、コンテンツの再生と会話のタイミングは同期させられていることが好ましい。たとえば、コンテンツがあるムービーファイルである場合に、シーンＸを見ているときにユーザＡがした発言である会話情報は、シーンＸが表示されるときに同時に表示されることが好ましい。
【００６１】これら会話情報およびコンテンツの表示データを受け取ったコンテンツ共有支援サーバ２０２は、ユーザＡが属するコミュニケーショングループの参加ユーザ（ただし、送信したユーザは除く）に宛てて、会話情報およびコンテンツの表示データを送信する（ステップ８１３から８１６）。本例では、ユーザ端末装置２０１Ｂ，２０１Ｃに対してユーザ端末装置２０１Ａから発された会話情報、コンテンツの表示データが供給される。なお、図では、ユーザ端末装置２０１Ｂに会話情報およびコンテンツデータを送信した後、ユーザ端末装置２０１Ｃに同様に会話情報およびコンテンツデータを送信したように記載したが、本実施の形態はこのような送信手順に限られるものではなく、例えばＩＰマルチキャストのように同時に複数のユーザ端末装置に送信するように構成しても良い。」
（１）段落【００１０】，【００１１】の記載によれば、引用例には、「複数のユーザ間でコンテンツを共有しながらコミュニケーションを行うコンテンツ共有システムであって、通信網に接続されたコンテンツ共有支援サーバと、通信網を介してコンテンツ共有支援サーバに接続可能な複数のユーザ端末装置とを有するコンテンツ共有システムにおける、ユーザ端末装置」が記載されている。
　また、段落【００１２】，【００１４】の記載によれば、上記の「ユーザ端末装置」は、
「コンテンツ共有支援サーバを介して他のユーザ端末装置に会話情報を送信し、コンテンツ共有支援サーバを介して他のユーザ端末装置から会話情報を受信する会話情報処理手段と、
　共有するコンテンツのデータをコンテンツ共有支援サーバを介して他のユーザのユーザ端末装置に送信し、また他のユーザによって選択されたコンテンツのデータをコンテンツ共有支援サーバを介して受け取る共有コンテンツ処理手段と、
　を有し、
　各ユーザ端末装置において、共通の会話情報とコンテンツ情報をほぼ共時的に再生・表示させる」ものである。
　したがって、引用例には、
「複数のユーザ間でコンテンツを共有しながらコミュニケーションを行うコンテンツ共有システムであって、通信網に接続されたコンテンツ共有支援サーバと、通信網を介してコンテンツ共有支援サーバに接続可能な複数のユーザ端末装置とを有するコンテンツ共有システムにおける、ユーザ端末装置であって、
　コンテンツ共有支援サーバを介して他のユーザ端末装置に会話情報を送信し、コンテンツ共有支援サーバを介して他のユーザ端末装置から会話情報を受信する会話情報処理手段と、
　共有するコンテンツのデータをコンテンツ共有支援サーバを介して他のユーザのユーザ端末装置に送信し、また他のユーザによって選択されたコンテンツのデータをコンテンツ共有支援サーバを介して受け取る共有コンテンツ処理手段と、
　を有し、
　各ユーザ端末装置において、共通の会話情報とコンテンツ情報をほぼ共時的に再生・表示させる、
　ユーザ端末装置。」
が記載されている。
（２）段落【００１９】の記載によれば、上記（１）の「コンテンツ」は、「ＪＰＥＧ形式などによる静止画画像データ、ＭＰＥＧ形式などの動画像データ、ＭＰ３形式などの音声データなどのネットワークを介して取得可能な形式の情報」のことである。
（３）段落【００３３】の記載によれば、上記（１）の「会話情報処理手段」で送受信される「会話情報」は、「文字データと音声データとのいずれか若しくは双方」であってよいものである。
（４）段落【００２２】の記載によれば、ユーザＡとユーザＢとの間でメッセージの送受信を行い、ユーザＡは、メッセージを受け取ると、コンテンツをユーザＢに紹介し、ユーザＡの端末装置１０１Ａにおいてコンテンツを再生すると、ユーザＢの端末装置１０１Ｂにおいて、同時にコンテンツが再生されるから、上記（１）において、コンテンツの共有は、「他のユーザ端末との会話の開始後に」行われるものである。
（５）図３、段落【００３５】，【００３９】，【００４０】，【００４２】の記載によれば、上記（１）の「共有コンテンツ処理手段」は、「共有コンテンツデータ送信手段」と「共有コンテンツ受信手段」とを有し、また、図４，５、段落【００３９】〜【００４２】の記載によれば、「共有コンテンツデータ送信手段」、「共有コンテンツデータ受信手段」の各々は、「共有コンテンツ再生手段」を有するから、上記（１）の「共有コンテンツ処理手段」は、「共有するコンテンツのデータをコンテンツ共有支援サーバを介して他のユーザのユーザ端末装置に送信する共有コンテンツ送信手段と、他のユーザによって選択されたコンテンツのデータをコンテンツ共有支援サーバを介して受け取る共有コンテンツ受信手段とを有し、前記共有コンテンツ送信手段、前記共有コンテンツ受信手段は、それぞれ、共有コンテンツ再生手段を有する、共有コンテンツ処理手段」であるといえる。
（６）図３，４、段落【００３１】，【００３８】の記載によれば、上記（１）の「ユーザ端末装置」は、「コンテンツを示すアイコンを含むユーザインターフェイスによって構成され、ユーザに共有するコンテンツの選択を促し、選択されたコンテンツを特定する情報を共通コンテンツ送信手段に渡すコンテンツ選択手段」を有している。
（７）図３，４，５、段落【００３９】〜【００４３】の記載によれば、上記（１）の「ユーザ端末装置」において、送信側のユーザ端末装置の共有コンテンツ再生手段は、選択された共有コンテンツの再生が開始されると、データを表示手段に供給して再生を実行するとともに、データを共有コンテンツデータ送信手段に供給し、他のユーザ端末装置では、共有コンテンツ受信手段により、共有コンテンツのデータを受け取り、共有コンテンツ再生手段で、送信側と同一の内容を他のユーザ端末装置の表示手段に表示するものである。
　したがって、引用例には、
「複数のユーザ間でコンテンツを共有しながらコミュニケーションを行うコンテンツ共有システムであって、通信網に接続されたコンテンツ共有支援サーバと、通信網を介してコンテンツ共有支援サーバに接続可能な複数のユーザ端末装置とを有するコンテンツ共有システムにおける、ユーザ端末装置であって、
　コンテンツ共有支援サーバを介して他のユーザ端末装置に会話情報を送信し、コンテンツ共有支援サーバを介して他のユーザ端末装置から会話情報を受信する会話情報処理手段と、
　コンテンツを示すアイコンを含むユーザインターフェイスによって構成され、ユーザに共有するコンテンツの選択を促し、選択されたコンテンツを特定する情報を共通コンテンツ送信手段に渡すコンテンツ選択手段と、
　共有するコンテンツのデータをコンテンツ共有支援サーバを介して他のユーザのユーザ端末装置に送信する共有コンテンツ送信手段と、他のユーザによって選択されたコンテンツのデータをコンテンツ共有支援サーバを介して受け取る共有コンテンツ受信手段とを有し、前記共有コンテンツ送信手段、前記共有コンテンツ受信手段は、それぞれ、共有コンテンツ再生手段を有する、共有コンテンツ処理手段と、
　を備え、
　前記会話情報は、文字データと音声データとのいずれか若しくは双方であってよいものであり、
　前記コンテンツは、ＪＰＥＧ形式などによる静止画画像データ、ＭＰＥＧ形式などの動画像データ、ＭＰ３形式などの音声データなどのネットワークを介して取得可能な形式の情報であり、
　送信側のユーザ端末装置の共有コンテンツ再生手段は、選択された共有コンテンツの再生が開始されると、データを表示手段に供給して再生を実行するとともに、データを共有コンテンツデータ送信手段に供給し、受信側のユーザ端末装置では、共有コンテンツ受信手段により、共有コンテンツのデータを受け取り、共有コンテンツ再生手段で、送信側と同一の内容を受信側のユーザ端末装置の表示手段に表示することにより、
　各ユーザ端末装置において、他のユーザ端末との会話の開始後に、共通の会話情報とコンテンツ情報をほぼ共時的に再生・表示させる、
　ユーザ端末装置。」の発明（以下、「引用発明」）が記載されているといえる。
３．対比
　本願補正発明と引用発明とを対比する。
（１）引用発明における「複数のユーザ間でコンテンツを共有しながらコミュニケーションを行うコンテンツ共有システムであって、通信網に接続されたコンテンツ共有支援サーバと、通信網を介してコンテンツ共有支援サーバに接続可能な複数のユーザ端末装置とを有するコンテンツ共有システムにおける、ユーザ端末装置」は、「複数のユーザ間でコンテンツを共有しながらコミュニケーションを行う」ためのものであり、「通信網を介して前記コンテンツ共有支援サーバに接続可能」であり、「コンテンツ共有支援サーバを介して」他の「ユーザ端末装置」とも接続可能であるから、引用発明の「ユーザ端末装置」は、本願補正発明と同様の「一以上の他の端末と通信可能に接続され、当該コミュニケーション端末を利用するユーザが、前記他の端末とコミュニケーションを行うためのコミュニケーション端末」であるといえる。
（２）引用発明の「会話情報」は、「文字データと音声データとのいずれか若しくは双方であってよい」から、引用発明の「コンテンツ共有支援サーバを介して他のユーザ端末装置に会話情報を送信し、コンテンツ共有支援サーバを介して他のユーザ端末装置から会話情報を受信する会話情報処理手段」は、本願補正発明の「前記他の端末と音声データ又はメッセージデータの送受信によるコミュニケーションを開始するコミュニケーション手段」に相当する。
（３）引用発明において、コンテンツの共有は、他のユーザ端末との会話の開始後に行われ、引用発明の「アイコン」は「簡易な図」といえ、「コンテンツの選択を促」すための「コンテンツを示すアイコン」とともに、コンテンツ名等が表示されることは明らかであるから、引用発明の「コンテンツ選択手段」の「ユーザに共有するコンテンツの選択を促」すための「コンテンツを示すアイコンを含むユーザインターフェイス」と、本願補正発明の「前記コミュニケーション手段が、前記他の端末とコミュニケーションを開始した後に、前記コミュニケーション端末内に記憶された一以上のコンテンツ及び前記一以上のコンテンツの種別毎に一の簡易な図を表示するコンテンツ一覧表示モジュール」とは、いずれも、「前記コミュニケーション手段が、前記他の端末とコミュニケーションを開始した後に、一以上のコンテンツ及び前記一以上のコンテンツの簡易な図を表示するコンテンツ表示モジュール」である点で共通する。
　また、引用発明の「コンテンツ選択手段」は、「共有するコンテンツの選択を促し、選択されたコンテンツを特定する情報を共通コンテンツ送信手段に渡す」から、本願補正発明と同様に「前記表示された一以上のコンテンツの選択を受付ける」ものであるといえ、引用発明は、本願補正発明と同様の「前記表示された一以上のコンテンツの選択を受付けるコンテンツ選択受付手段」に相当する構成を有している。
（４）引用発明において「送信側のユーザ端末装置の共有コンテンツ再生手段は、選択された共有コンテンツの再生が開始されると、データを表示手段に供給して再生を実行するとともに、データを共有コンテンツデータ送信手段に供給し、他のユーザ端末装置では、共有コンテンツ受信手段により、共有コンテンツのデータを受け取り、共有コンテンツ再生手段で、送信側と同一の内容を他のユーザ端末装置の表示手段に表示すること」により、選択された共有コンテンツの再生の開始によって、送信する操作を受付けることなく、他の端末装置と共有コンテンツの共有を行っているから、引用発明の「送信側のユーザ端末装置の共有コンテンツ再生手段は、選択された共有コンテンツの再生が開始されると、データを表示手段に供給して再生を実行するとともに、データを共有コンテンツデータ送信手段に供給し、他のユーザ端末装置では、共有コンテンツ受信手段により、共有コンテンツのデータを受け取り、共有コンテンツ再生手段で、送信側と同一の内容を他のユーザ端末装置の表示手段に表示する」動作を行う「共有するコンテンツのデータをコンテンツ共有支援サーバを介して他のユーザのユーザ端末装置に送信する共有コンテンツ送信手段と、他のユーザによって選択されたコンテンツのデータをコンテンツ共有支援サーバを介して受け取る共有コンテンツ受信手段とを有し、前記共有コンテンツ送信手段、前記共有コンテンツ受信手段は、それぞれ、共有コンテンツ再生手段を有する、共有コンテンツ処理手段」は、本願補正発明の「前記コンテンツ選択受付手段が選択を受付けた一以上のコンテンツを、前記一以上の他の端末に対して送信する操作を受付けなくとも、前記一以上の他の端末と共有する選択コンテンツ共有手段」に相当する構成であるといえる。
　したがって、本願補正発明と引用発明とは、次の一致点、相違点を有している。
［一致点］
　一以上の他の端末と通信可能に接続され、当該コミュニケーション端末を利用するユーザが、前記他の端末とコミュニケーションを行うためのコミュニケーション端末であって、
　前記他の端末と音声データ又はメッセージデータの送受信によるコミュニケーションを開始するコミュニケーション手段と、
　前記コミュニケーション手段が、前記他の端末とコミュニケーションを開始した後に、一以上のコンテンツ及び前記一以上のコンテンツの簡易な図を表示するコンテンツ表示モジュールと、
　前記表示された一以上のコンテンツの選択を受付けるコンテンツ選択受付手段と、
　前記コンテンツ選択受付手段が選択を受付けた一以上のコンテンツを、前記一以上の他の端末に対して送信する操作を受付けなくとも、前記一以上の他の端末と共有する選択コンテンツ共有手段と、
　を備えるコミュニケーション端末。
［相違点１］
　コンテンツ表示モジュールが、本願補正発明においては、「一以上のコンテンツの種別毎に一の簡易な図」を表示するコンテンツ一覧表示モジュールであるのに対し、引用発明においては、コンテンツを示すアイコンを含むユーザインターフェイスであって、コンテンツを示すアイコンを表示するものの、アイコンが、コンテンツの種別毎に一のものであるのかの特定がなく、また、表示についても、一覧との特定がない点。
［相違点２］
　選択される共有コンテンツが、本願補正発明においては、「コミュニケーション端末内に記憶された」ものであるのに対し、引用発明では、どこに記憶されるのか特定されていない点。
４．判断
　相違点１、２について、検討する。
［相違点１］について
　引用発明のコンテンツは、「ＪＰＥＧ形式などによる静止画画像データ、ＭＰＥＧ形式などの動画像データ、ＭＰ３形式などの音声データなどのネットワークを介して取得可能な形式の情報」であり、これら、ＪＰＥＧ形式などによる静止画、ＭＰＥＧ形式などの動画像、ＭＰ３形式などの音声というのは、「コンテンツの種別」といえるものである。
　そして、コンピュータにおいて、ファイルをユーザが選択するときに、ファイルのアイコンの一覧を提示し、一目でファイルの内容をユーザが理解できるように、ファイルの拡張子等の情報を用いて、ファイルの種別やコンテンツの種別毎に一のアイコンを表示することは周知技術である。このことは、戸田覚，「すぐに使えるＷｉｎｄｏｗｓ７−第１回　ファイルは手際よく開く」，日経パソコン，Ｎｏ．５９３，日経ＢＰ社，２０１０年１月１１日，ｐ．９７〜１００のｐ．９７右欄第１６〜２８行，ｐ．９９左欄第１９〜３０行に、「・・ウィンドウ内にたくさんのアイコンが並び、一覧性が向上する。・・アイコンの図柄がファイルの種類を示している。・・」と記載されていること、また、阿久津良和，掌田津耶乃，「快適なファイル操作を約束する超裏技満載  基本操作から応用まで攻略  ウィンドウズ９５／９８  拡張子／ファイル／フォルダ管理・攻略大全−拡張子でファイルタイプをパーフェクトに理解する」，Ｗｉｎｄｏｗｓ　Ｓｔａｒｔ，第５巻，第５号，２０００年３月２９日，株式会社毎日コミュニケーションズ，ｐ．４８〜５４のｐ．４９「華やかさを演出するマルチメディア系ファイル」には、ファイルの拡張子に応じて、拡張子.aif、.au、.ra、.wavには、スピーカの図柄のアイコンを割当て、拡張子.avi、.m3u、.mov、mpegには、ビデオカメラの図柄のアイコンを割り当て、ファイルが音声コンテンツであるのか、動画コンテンツであることが一目で理解できるようにしていることからも明らかである。
　そして、引用発明は、「コンテンツを示すアイコン」によりコンテンツをユーザに選択させるものであり、引用発明において、ユーザによるファイルやコンテンツの選択を容易にする上記の周知技術を採用することに困難性はなく、引用発明において、当該周知技術を採用して、アイコンを一覧とすること、アイコンをコンテンツの種別毎に一の簡易な図のアイコンとすることは当業者が容易に想到し得た事項である。
　以上のことは、引用発明において、上記相違点１に係る本願補正発明の構成を採用することが当業者にとって容易であったことを意味している。
［相違点２］について
　引用例の段落【００２２】には、「まず、ユーザＢがユーザＡに宛てて「何かいいコンテンツを持ってますか？」というメッセージを発すると、サーバ装置１０２はこのメッセージを受け取り、ユーザＡに送る。ユーザＡはこのメッセージを受け取ると、適当なコンテンツをユーザＢに紹介する。コンテンツの紹介は、ユーザＡの端末装置１０１Ａにおいてそのコンテンツを再生することによって行われる。」と記載されているから、ユーザＡは、自分の持っているコンテンツをユーザＢに紹介している。また、引用例の段落【００５９】，図１０によれば、コンテンツ選択のための領域１００３には、対象とするコンテンツは、「c:\mydoc」にあることが示されており、「c:\mydoc」は、通常は、ユーザＡの端末装置１０１Ａの記憶装置にあるものである。よって、引用発明において、自分の持っているコンテンツがどこに記憶されているのかは特定されていないものの、ユーザＡのユーザ端末装置１０１Ａから、再生可能にアクセスできる場所に記憶されているものであるから、記憶場所をユーザ端末装置１０１Ａとすることに困難性はない。
　したがって、引用発明において、選択される共有コンテンツを「コミュニケーション端末内に記憶された」ものとすることは当業者が容易に想到し得た事項である。
　以上判断したとおり、本願補正発明における上記相違点１，２に係る構成はいずれも当業者が容易に想到し得たものであり、また、各相違点を総合しても本願補正発明は当業者が想到することが困難なものとはいえない。
　そして、本願補正発明の作用効果も、引用発明及び周知技術から当業者が予測できる範囲のものである。
　以上のとおり、本願補正発明は引用発明及び周知技術に基づいて容易に発明をすることができたものであるから、特許法第２９条第２項の規定により、特許出願の際独立して特許を受けることができないものである。
　
４．むすび
　以上のとおり、本件補正は、特許法第１７条の２第６項の規定により準用する特許法第１２６条第７項の規定に違反するものであり、特許法第１５９条第１項において準用する同法第５３条第１項の規定により却下されるべきものである。
第３．本願発明について
１．本願発明
　平成２７年１１月２５日付けの手続補正は上記のとおり却下されたので、本願の請求項１に係る発明（以下、「本願発明」という。）は、平成２７年２月２２日付けの手続補正書により補正された特許請求の範囲の請求項１に記載された事項により特定される、以下のとおりのものである。
「一以上の他の端末と通信可能に接続され、当該コミュニケーション端末を利用するユーザが、前記他の端末とコミュニケーションを行うためのコミュニケーション端末であって、
　前記他の端末と音声データ又はメッセージデータの送受信によるコミュニケーションを開始するコミュニケーション手段と、
　前記コミュニケーション手段が、前記他の端末とコミュニケーションを開始した後に、前記コミュニケーション端末内に記憶された一以上のコンテンツ及び前記一以上のコンテンツの種別を表示するコンテンツ一覧表示モジュールと、
　前記表示された一以上のコンテンツの選択を受付けるコンテンツ選択受付手段と、
　前記コンテンツ選択受付手段が選択を受付けた一以上のコンテンツを、前記一以上の他の端末に対して送信する操作を受付けなくとも、前記一以上の他の端末と共有する選択コンテンツ共有手段と、
　を備えるコミュニケーション端末。」
２．引用発明
　引用発明は、上記「第２．」の「２．引用発明」の欄に記載したとおりである。
３．対比・判断
　本願発明は、上記「第２」で検討した本願補正発明から「コンテンツ一覧表示モジュール」について、「コンテンツの種別毎に一の簡易な図を表示する」との限定を「コンテンツの種別を表示する」としたものである。
　そうすると、本願発明の構成要件をすべて含み、構成要件を付加したものに相当する本願補正発明が、前記「第２」の「３．」ないし「４．」に記載したとおり、引用発明に基づいて、当業者が容易に発明をすることができたものであるから、本願発明も、同様の理由により、引用発明及び周知技術に基づいて、当業者が容易に発明をすることができたものである。
４．むすび
　以上のとおり、本願発明は、引用発明及び周知技術に基づいて、当業者が容易に発明をすることができたものであるから、特許法第２９条第２項の規定により特許を受けることができない。
　したがって、本願は、他の請求項について検討するまでもなく、拒絶されるべきものである。 
　よって、結論のとおり審決する。